(57)【要約】【課題】  施工が容易で且つ安価な壁面構造体を提供する。【解決手段】  取付枠７と、外側パネル材付き枠９と、複数の内側パネル材１１とを備え、外側パネル材付き枠９は、複数の外側パネル材３１を対向する端部枠材２７、２７間で隣合わせに配置して各外側パネル材３１を端部枠材２７、２７にねじ３５で止めてあり、端部枠材２７、２７は取付枠７の内側に内周側からねじ３３で止めてあり、各内側パネル材１１は一方側部１１ａを外側パネル材３１にねじ３７で止めてあり、一方側部１１ａと他方側部１１ｂとの間の中間部１１ｃを外側パネル材３１に係止部４５で係止している。【選択図】図１
2014148801.tif 000002
【特許請求の範囲】
【請求項１】
取付枠と、外側パネル材付き枠と、複数の内側パネル材とを備え、外側パネル材付き枠は、複数の外側パネル材を対向する端部枠材間で隣合わせに配置して各外側パネル材を端部枠材にねじ止めしたものであり、端部枠材は取付枠の内側に内周側からねじ止めしてあり、各内側パネル材は一方側部を外側パネル材にねじ止めしてあり、一方側部と他方側部との間の中間部を外側パネル材に係止してあることを特徴とする壁面構造体。
【発明の詳細な説明】
【技術分野】
【０００１】
本発明は、建物やフェンス等の壁面を構成する壁面構造体に関する。
【背景技術】
【０００２】
非特許文献１には、図８及び図９に示すように、取付枠１０１の内周に補助材１０３を架設して、補助材１０３の内側と外側との各々にサイディング材１０５を取り付けた壁面構造体（腰壁）１０７が開示されている。
【先行技術文献】
【特許文献】
【０００３】
【非特許文献１】第６４４頁及び第６４５頁「三協立山アルミ  ウォールエクステリアカタログ  ２０１２〜２０１３  業務用」三協立山アルミ株式会社発行  カタログＮｏ．ＳＴＷ０２２４Ａ  ２０１２年３月発行
【発明の概要】
【発明が解決しようとする課題】
【０００４】
しかし、サイディング材１０５は高価であり、また非特許文献１に示されている壁面構造体１０７は、補助材１０３と、補助材１０３の内側と外側に各々サイディング材１０５、１０５を取り付ける三層構造にしてあるので、部品点数が多くなると共に施工に手間がかかるという不都合があった。
また、従来の壁面構造体と同じような外観を得られ且つサイディング材に替えて安価なアルミニウム材を用いた壁面構造体が求められていた。
【０００５】
そこで、本発明は、施工が容易で且つ安価な壁面構造体の提供を目的とする。
【課題を解決するための手段】
【０００６】
請求項１に記載の発明は、取付枠と、外側パネル材付き枠と、複数の内側パネル材とを備え、外側パネル材付き枠は、複数の外側パネル材を対向する端部枠材間で隣合わせに配置して各外側パネル材を端部枠材にねじ止めしたものであり、端部枠材は取付枠の内側に内周側からねじ止めしてあり、各内側パネル材は一方側部を外側パネル材にねじ止めしてあり、一方側部と他方側部との間の中間部を外側パネル材に係止してあることを特徴とする壁面構造体である。
【発明の効果】
【０００７】
請求項１に記載の発明によれば、外側パネル材付き枠の端部枠材を取付枠にねじ止めし、内側パネル材の中間部を外側パネル材に係止して、一方側部を外側パネル材にねじ止めするだけの簡単な取付け作業で良く、従来技術のような外側パネル材と内側パネル材とを取り付ける為の補助材を施工する工程も不要であるから、施工が容易である。
外側パネル材付き枠は取付枠の内周に配置して端部枠材を取付枠の内側で内周側からねじ止めし、内側パネル材を外側パネル材に内側からねじ止めするものであるから、ねじ止め作業が取付枠の内側からのみで済み、従来技術のように補助材に内側と外側の両方からサイディングパネル材をねじ止めする場合に比較して、作業性が良い。
また、従来技術のような補助材を施工する工程が不要であるから施工コストを削減できると共に内側パネル材と外側パネル材とにアルミニウム材を使用することもできるので安価な壁面構造体を提供できる。
更に、内側パネル材は中間部を外側パネル材に係止しているから、外側パネル材に係止している部分が内側から見えないので外観が良い。
内側パネル材は一方側部を外側パネル材にねじで止めるので、一の内側パネル材にその一方側で隣り合う他の内側パネル材の他方側部を、一の内側パネル材の一方側部の内側に対向する位置に配置することで、一の内側パネル材を止めるねじを他の内側パネル材で隠すこともできる。
【図面の簡単な説明】
【０００８】
【図１】本発明の第１実施の形態にかかる壁面構造体であって、図４に示すＡ−Ａ断面図である。
【図２】本発明の第１実施の形態にかかる壁面構造体であって、図４に示すＢ−Ｂ断面図である。
【図３】本発明の第１実施の形態にかかる壁面構造体の施工工程を示す図であって、図４に示すＡ−Ａ断面図である。
【図４】本発明の第１実施の形態にかかる壁面構造体を用いた簡易建物の斜視図である。
【図５】図４に示すＣ−Ｃ断面図である。
【図６】図４に示すＥ−Ｅ断面図である。
【図７】図４に示すＦ−Ｆ断面図である。
【図８】従来の壁面構造体の壁面構造体を用いた簡易建物の縦断面図である。
【図９】図８に示すＴ−Ｔ断面図である。
【発明を実施するための形態】
【０００９】
以下に、添付図面の図１〜図７を参照して本発明の実施の形態を説明する。図４に示すように、本実施の形態に係る壁面構造体１は、いわゆるガーデンルーム等の簡易建物３に用いられている腰壁であり、簡易建物３の正面側の壁面Ｇに使用されており、壁面構造体１の上側にはサッシ５が取り付けられている。サッシ５は、ＦＩＸサッシである。
図１及び図２に示すように、壁面構造体１は、取付枠７と、外側パネル材付き枠９（図３（ｂ）参照）と、複数の内側パネル材１１とを備えている。
取付枠７は、下枠１３と、上枠１５と、左右の竪枠１７、１７を枠組みしてあり、図４に示す４つの壁面構造体１のうち、最も右側にある壁面構造体１は、図２の左側に示すように、左竪枠１７が柱１９の右側面に固定してあり、右竪枠１７は方立の左側面が兼ねており、図４に示す４つの壁面構造体１のうち最も左側にある壁面構造体１は、左竪枠１７は方立の右側面が兼ねており、右竪枠１７が柱１９の左側面に固定してある。図４において、左右の中間に位置する２つの壁面構造体１は、各々、左右の竪枠１７、１７は、方立の側面が兼ねている。尚、図２では、柱１９に取り付けてあるカバーを省略している。
【００１０】
図４に示す各壁面構造体１の構成は、上述した取付枠７を除いて略同じ構成であるから、以下の説明では、図４に示す壁面構造体のうち、最も右側にある壁面構造体１について説明する。
図３（ｂ）に示すように、外側パネル材付き枠９は、下枠材２３、上枠材２５、左右の竪枠材（端部枠材）２７、２７を枠組みした枠体２９と、枠体２９内に配置された複数の外側パネル材３１とを備えている。
外側パネル材付き枠９の枠体２９の見込み寸法Ｈは、取付枠７の見込み寸法ｈと略同じ寸法にしてあり、枠体２９は取付枠７の内周側面に重ねて配置している。図１及び図３（ｃ）に示すように、枠体２９の竪枠材２７、２７及び上枠材２５は各々見込み方向中央よりも内側で、取付枠７に内周側から止めるねじ３３で止めている。図１及び図３（ｄ）に示すように、枠体２９の下枠材２３は、取付枠７の下枠１３の内側見付面に内側からねじ３４で止めている。
【００１１】
図１及び図２に示すように、各外側パネル材３１は左右方向に長いアルミニウム形材であり、複数の外側パネル材３１は対向する左右の竪枠材（端部枠材）２７、２７間で上下に隣合わせに配置してある。各外側パネル材３１は、左右の各端部が、対向する枠体２９の竪枠材２７にねじ３５で、外周側から固定されている。
図１に示すように、各外側パネル材３１は、その上側部３１ａが上に位置する外側パネル材３１の下側部３１ｂに内側で対向して配置してあり、内側から見ると外側パネル材３１の下側部３１ｂがその上に位置する外側パネル材３１の下側部３１ｂに重なって配置されている。
各外側パネル材３１は、上側部３１ａと下側部３１ｂとの間の中間部３１ｃには、その内側に被係止部３６が形成されている。被係止部３６は、左右方向に長く且つ上方を開口した溝状を成している。
また、外側パネル材３１には、その上側部３１ａの内側に内側パネル材１１が上から係合する被係合部４１が形成されている。
【００１２】
図１に示すように、内側パネル材１１は、外側パネル材３１の内側で上下に隣合わせに配置してある。内側パネル材１１は、アルミニウム形材であり、内側パネル材１１の上側部（一方側部）１１ａは、パッキン材４７を挟んで外側パネル材３１の上側部３１ａとその上に位置する外側パネル材３１の下側部３１ｂとに跨って重ね、その重ねた部分を内側から止めるねじ３７で外側パネル材３１に固定してある。
また、内側パネル材１１には、外側パネル材３１の被係合部４１に上から係合する係合部４３が設けてある。
各内側パネル材１１は、上側部（一方側部）１１ａと下側部（他方側部）１１ｂとの間の中間部１１ｃに係止部４５が設けてあり、係止部４５を外側パネル材１１の被係止部３６にパッキン材４４を介して係止してある。
図１及び図２に示すように、内側パネル材１１は、その内側面が竪枠材２７を竪枠１７に止めているねじ３３を越えて内側に位置しており、内側パネル材１１でねじ３３を隠してある。
最下位置にある内側パネル材１１の下側部１１ｂは、下枠材２３の上面との間にクッション材４８を介在して下枠材２３に固定している。
尚、外側パネル材付き枠９の上枠材２５には、内側と外側とに各々目板４９が取り付けてあり、最上に位置する外側パネル材３１と内側パネル材１１との各上側部と上枠材２５との間の空間を覆っている。
【００１３】
次に、図４に示す簡易建物１において、左右側にある壁面Ｊの壁面構造体５１について説明するが、左右の壁面Ｊの構成は略同じであるから、図４において右側に位置する壁面Ｊについて説明する。以下の説明では、上述した正面側にある壁面Ｇの壁面構造体１と同一の作用効果を奏する部分には、同一の符号を付することにより、その部分の詳細な説明を省略する。尚、図４において、符号Ｍで示すのは、折り戸である。
この壁面構造体５１には、腰壁５８とサッシ５５とが一体に設けてある。
図５及び図６に示すように、壁面構造体５１において、取付枠７の内周にパネル材付き枠５０が設けてある。パネル材付き枠５０は、複数のパネル材５２と、左右の竪枠材（端部枠材）２７、２７と、下枠材２３と、上枠材２５と、下枠材２３と上枠材２５との間に設けた中間枠材５４で構成されている。
【００１４】
図５に示すように、サッシ５５はＦＩＸサッシであり、中間枠材５４と上枠材２５との間にはＦＩＸサッシパネル５７が設けてあり、中間枠材５４の上面と上枠材２５の下面には、各々ＦＩＸパネル挿入溝５６が形成されている。
パネル材付き枠５０の下枠材２３には、その上面に、最も下側に位置するパネル材３２の下側部５２ｂを挿入する下溝部５３が形成されている。この下溝部５３は、上枠材２５の下面と中間枠材５４の上面とに設けたＦＩＸサッシパネル挿入溝５６の溝巾Ｋと略同じ溝巾にしてある。
中間枠材５４の下面には、最も上側に位置するパネル材５２の上側部５２ａを挿入する上溝部６１が形成されており、この上溝部６１は、下溝部５３の溝巾Ｋと略同じ溝巾にしてある。
図６及び図７に示すように、左右の竪枠材２７、２７は、腰壁５８とサッシ５５との間に亘って設けてあり、腰壁５８とサッシ５５とで共通の竪枠材として用いている。
各竪枠材２７は、内周側に突設する横断面が略Ｌ字形状を成す係合部６３が長手方向に亘って形成されている。竪枠材２７には外周側に気密材６４が保持されており、取付枠７の竪枠１７との間を気密に保持している。
図６に示すように、この係合部６３には、腰壁５８に対応する部分に、パネル材５２を取り付けるパネル取付材６５の被係合部６６が係合してある。パネル取付材６５は、中空部６７と内周側に凹んだ溝部６９が形成されており、溝部６９に外周側から止めるねじ７１でパネル材５２の左右側端（一方側端）を固定しており、中空部６７を竪枠材２７に外周側からねじ７２で固定してある。
【００１５】
パネル材５２は、アルミニウム形材であり、図５に示すように、厚みＫをＦＩＸサッシパネル５７と略同じ厚みＫにしてある。
このパネル材５２は、上側部５２ａは内側で上方に突設してあり、下側部５２ｂは外側で下方に突設してあり、上下で隣合うパネル材５２は上側部５２ａと下側部５２ｂとを互いにクッション材７３を介在して対向配置している。
図７に示すように、サッシ５５では、竪枠材２７の内周側にパネル端部保持材７５を配置して、パネル端部保持材７５の被係合部７７を竪枠材２７の係合部６３に係合して、ねじ７９でパネル端部保持材７５を竪枠材２７に固定してある。パネル端部保持材７５には内周側に内側から取り付ける押縁８１の係止部７５ａが設けてある。
【００１６】
次に、第１実施の形態にかかる簡易建物３の施工について説明する。
図４に示すように、柱１９を立設し、柱１９間に桁８３を架設し、建物の外壁６に取り付けた垂木掛け（図示せず）と柱１９との間に妻垂木８５を取り付け、柱１９、１９間で桁８３とベース材（図示せず）との間に方立２１を取り付ける。図１及び図２に示すように、柱１９と方立２１との間に各々下枠１３及び上枠１５を取り付けて、図４に示すように、正面側の壁面Ｇの壁面構造体１及び側面側の壁面Ｊの壁面構造体５１の各取付枠７を形成する。尚、各柱１９、１９の上には屋根８７を取り付ける。
【００１７】
図３（ａ）（ｂ）に示すように、壁面構造体１は、取付枠７と別に外側パネル材付き枠９を組み立てる。
外側パネル材付き枠９の組み立ては、下枠材２３、上枠材２５、左右の竪枠材２７、２７を枠組みして枠体２９を形成し、図１に示すように、各外側パネル材３１の左右側端部を竪枠材２７、２７に外周側からねじ３５で止める。このようにして、枠体２９内の上下方向に隣り合わせにして複数の外側パネル材３１を固定する。
図３（ｂ）（ｃ）に示すように、外側パネル付き枠材９を取付枠７の内周に配置して、外側パネル材付き枠９の竪枠材２７を取付枠７の竪枠１７に重ねて見込み方向中央よりも内側で内周側から外側パネル材付き枠９をねじ３３で止める。
次に、図３（ｃ）に示すように、最下に位置するべき内側パネル材１１を配置して、図１に示すように、外側パネル材３１に形成してある被係止部３６に内側パネル材１１の中間部１１ｃにある係止部４５を上から係止すると共に外側パネル材３１の被係合部４１に内側パネル材１１の係合部４３を係合し、内側パネル材１１の上側部１１ａを外側パネル材３１の上側部３１ａにねじ３７で止める。このようにして、下から順に内側パネル材１１を外側パネル３１に取り付ける。
その後、図３（ｄ）に示すように、上枠材２５の内側と外側とに目板４９を取り付ける。
上述したようにして、正面側の壁面Ｇの壁面構造体１を施工した後、図１に示すように、サッシ５にパネル４６を嵌めて、正面側の壁面Ｇを施工する。
【００１８】
次に、側面側の壁面Ｊの壁面構造体５１の施工について説明する。図５〜図７に示すように、まず、左右の竪枠材２７、２７間に下枠材２３、上枠材２５及び中間枠材５４を取り付けて枠体２９を組み立てる。竪枠材２７、２７は腰壁５８とサッシ５５の竪枠材として共通の枠材である。
一方、図６に示すように、左右のパネル取付材６５間にパネル材５２を挟んで外周側から止めるねじ７１でパネル材５２の端部をパネル取付材６５に取り付け、パネル体６８を組み立てる。パネル材５２は下から順次パネル取付材６５に取り付けるが、図５に示すように、パネル材５２の上側部５２ａと、その上に位置するパネル材５２の下側部５２ｂの間にクッション材７３を介在させて取り付ける。
次に、パネル体６８を下枠材２３と中間枠材５４との間に組み付けるが、図５に示すように、パネル体６８の組み付けは、最下位置にあるパネル材５２の下側部５２ｂを下枠材２３の下溝部５３に挿入し、最上位置にあるパネル材５２の上側部５２ａを中間枠材５４の上溝部６１に挿入した後、図６に示すように、パネル体６８の左右のパネル取付材６５の被係合部６６を、各々対向する竪枠材２７、２７の内周側見込み面に形成してある係合部６３に係合して、ねじ７２で止める。これによりパネル材付き枠５０の組み立てが完了する。
その後、図５に示すように、パネル材付き枠５０を取付枠７の内周側に配置し、図５〜図７に示すように、パネル材付き枠５０の上枠材２５を上枠１５に、左右の竪枠材２７、２７を竪枠１７、１７に各々内周側から止めるねじ８９で固定し、下枠材２３は下枠１３の見付面にねじ３４で固定する。
次に、図７に示すように、中間枠材５４と上枠材２５との間で、竪枠材２７、２７にパネル端部保持材７５の被係合部７７を竪枠材２７の係合部６３に係合して、パネル端部保持材７５を係合してねじ７９で固定する。
そして、パネル端部保持材７５の内側にＦＩＸサッシパネル５７を配置して、パネル端部保持材７５の係止部７５ａに押縁８１を係止してＦＩＸサッシパネル５７を固定する。
【００１９】
本実施の形態に係る壁面構造体１によれば、外側パネル材付き枠９の竪枠材（端部枠材）２７を取付枠７にねじ３３で止め、内側パネル材１１の中間部１１ｃを外側パネル材３１に係止して、上側部（一方側部）１１ａを外側パネル材３１にねじ３７で止めるだけの簡単な取付け作業で良く、従来技術のような外側パネル材３１と内側パネル材１１とを取り付ける為の補助材を施工する工程も不要であるから、施工が容易である。
外側パネル材付き枠９は取付枠７の内周に配置して竪枠材２７、２７を取付枠７の内側で内周側からねじ３３で止めし、内側パネル材１１を外側パネル材３１に内側からねじ３７で止めしているから、ねじ止め作業が取付枠７の内側からのみで済み、従来技術のように補助材に内側と外側の両方からサイディングパネル材をねじ止めする場合に比較して、作業性が良い。
また、従来技術のように補助材を施工する工程が不要であるから施工コストを削減できると共に内側パネル材１１と外側パネル材３１とにアルミニウム形材を使用しているので、安価な壁面構造体を提供できる。
内側パネル材１１と外側パネル材３１とにアルミニウム形材を使用しているので、従来技術のようにサイディングパネルを用いる場合に比較して、軽量でありながらサイディングパネルを用いた場合と同様な重厚感を得ることができる。
内側パネル材１１は、中間部１１ｃを外側パネル材３１に係止しているから、外側パネル材３１に係止している部分が内側から見えないので外観が良い。
内側パネル材１１は上側部（一方側部）１１ａを外側パネル材３１にねじ３７で止めるので、一の内側パネル材３１にその上側（一方側）で隣り合う他の内側パネル材３１の下側部（他方側部）１１ｂを、一の内側パネル材３１の上側部１１ａの内側に対向する位置に配置することで、一の内側パネル材３１を止めるねじ３７を他の内側パネル材３１で隠すことができる。
【００２０】
図１に示すように、外側パネル材３１の下側部３１ｂと内側パネル材１１の上側部１１ａとをねじ３７で止める部分には、上下で隣合う外側パネル材３１、３１に跨ってパッキン材４７を介在しているので、隣合う外側パネル材３１間を水密に保持することができる。
内側パネル材１１の中間部１１ｃでは、パッキン材４４を介して係止部４５を外側パネル材３１の被係止部３６に係止しているので、内側パネル材１１のがたつきによる金属音の発生を防止できる。
図３に示すように、外側パネル材３１は枠体２９に取り付けた外側パネル材付き枠９を取付枠７と別体に組み立ててから、外側パネル材付き枠９を取付枠７の内周に配置して取付枠７に固定しているので、外側パネル付き枠９を、例えば工場で組み立ててから施工現場で取付枠７に固定することもできるので、施工し易い。
図１に示すように、外側パネル材付き枠９を竪枠１７に固定するねじ３３は、内側パネル材１１で隠しているので外観が良い。
【００２１】
図６及び図７に示すように、簡易建物３の側面側の壁面Ｊでは、壁面構造体５１は、竪枠材２７、２７には、長手方向に亘って係合部６３を設けて、パネル取付材６５とパネル端部保持材７５とを各々係合部６３に係合にしているので、腰壁５８とサッシ５５とで共通の竪枠材２７、２７を使用できるから、部品点数を少なくできる。
図５に示すように、下枠材２３の下溝部５３と、中間枠材５４の下面に設けた上溝部６１と、上枠材２５の下面と中間枠材５４の上面とに設けたＦＩＸサッシパネル挿入溝５６との溝巾は、略同じ溝巾Ｋにしてあり且つ、ＦＩＸサッシパネル５７とパネル材５２の厚みも各溝部の溝巾Ｋと略同じ厚みにしているので、腰壁５８にはパネル材５２に替えてＦＩＸサッシパネル５７を用いて、ＦＩＸサッシにすることもできる。本実施の形態では、腰壁５８にパネル材５２を取り付けることにより、正面側の壁面Ｇの壁面構造体１と同様なアルミニウム形材の外観を得ることができるので、簡易建物３の全体として一体感のある外観を得ることができる。
腰壁５８は、パネル材５２を固定したパネル体６８を竪枠材２７にねじ７２で固定しているので、従来技術のように外側パネル材と上側パネル材と補助材とからなる三層構造に比較して、施工が容易である。また、施工が容易であるから施工コストを削減できると共にパネル材５２にアルミニウム形材を使用しているので、安価な壁面構造体を提供できる。
パネル取付材６５は外周側が開口した溝部６９を設けて、パネル５２を止めるねじ７１の頭を溝部６９内に収納しているので、ねじの頭が外周側に突設しないから、ねじ７１の頭が邪魔にならずにパネル体６８の組み立てができる。
パネル体６８は、取付枠７と別体に組み立ててから、取付枠７の内周に配置して取付枠に固定しているので、パネル体６８を例えば工場で組み立ててから施工現場で取付枠７に固定することもできるので、施工し易い。
一のパネル材５２は上側部５２ａをその上に位置する他のパネル材５２の下側部５２ｂにクッション材７３を介して対向配置しているので、金属音の発生を防止できると共に水密を図ることができる。
パネル材５２の厚みをＦＩＸサッシパネル５７の厚みと略同じ厚みＫにしているので、パネル材５２の厚みが薄いから、使用材料が少なくて済むから安価で且つ軽量にできる。
【００２２】
本発明は、上述した実施の形態に限らず、本発明の要旨を逸脱しない範囲で種々変形可能である。
壁面構造体１は、簡易建物の腰壁に限らず、壁面全体を構成するものであっても良く、また、フェンスや間仕切りやスクリーン等であっても良い。
例えば、壁面構造体１の上に取り付けるサッシ５は、ＦＩＸサッシに限らず、引戸サッシや、開きサッシ、回転サッシ等であっても良い。
壁面構造体１では、複数の外側パネル材３１及び複数の内側パネル材１１は、各々パネル材を上下方向に配置することに限らず、左右方向に配置してもよい。この場合には、一方側部は左右の一方側であり、他方側部は左右の他方側である。
同様に、壁面構造体５１でも、パネル材５２は、上下方向に配置することに限らず、左右方向に配置してもよい。
壁面構造体１において、外側パネル材付き枠９は、下枠材１５と上枠材２５を一体に設けることなく、竪枠材（端部枠材）１７、１７のみに外側パネル材３１を取り付けたものとしても良い。
【符号の説明】
【００２３】
１    壁面構造体
７    取付枠
９    外側パネル材付き枠
１１  内側パネル材
１１ａ  上側部（一方側部）
１１ｂ  下側部（他方側部）
１１ｃ  中間部
３１  外側パネル材
２７  竪枠材（端部枠材）
３３  ねじ（端部枠材を止めるねじ）
３５  ねじ（外側パネル材を止めるねじ）
３７  ねじ（内側枠材を止めるねじ）
【図１】
2014148801.tif 000003
【図２】
2014148801.tif 000004
【図３】
2014148801.tif 000005
【図４】
2014148801.tif 000006
【図５】
2014148801.tif 000007
【図６】
2014148801.tif 000008
【図７】
2014148801.tif 000009
【図８】
2014148801.tif 000010
【図９】
2014148801.tif 000011